(57)【特許請求の範囲】
【請求項１】
吐水口を有する水栓と、
前記吐水口から吐水される水を受水するシンクと、
電波の送受信を行うセンサ部と、
前記センサ部から得られた被検知体の検知情報に基づいて開閉し、前記吐水口へ水を供給するかしないかを切り替えるバルブと、
前記センサ部に対して使用者の操作を促す誘導手段と
を有するシステムキッチンであって、
前記センサ部は前記シンクの側壁の裏側に設けられ、
前記誘導手段は前記誘導手段の中心位置が前記センサ部の中心位置よりもシステムキッチン後縁側に位置するように、
前記シンクに隣接するカウンタの上面に配置されたことを特徴とするシステムキッチン。
【請求項２】
吐水口を有する水栓と、
前記吐水口から吐水される水を受水するシンクと、
電波の送受信を行うセンサ部と、
前記センサ部から得られた被検知体の検知情報に基づいて開閉し、前記吐水口へ水を供給するかしないかを切り替えるバルブと、
前記センサ部に対して使用者の操作を促す誘導手段と
を有するシステムキッチンであって、
前記センサ部は前記シンクの側壁の裏側に設けられ、
前記誘導手段は前記誘導手段の中心位置が前記センサ部の中心位置よりもシステムキッチン後縁側に位置するように、
前記センサ部の設けられた前記シンクの側壁に配置されたことを特徴とするシステムキッチン。
【請求項３】
前記センサ部は、前記シンクに隣接するカウンタと隣接する側の前記シンクの側壁に配置されたことを特徴とする請求項１または２の何れか１項記載のシステムキッチン。
【請求項４】
前記誘導手段は、前記シンクの側壁と前記シンクに隣接するカウンタの上面の両方に設置され、前記シンクの側壁に設けた誘導手段は、前記シンクに隣接するカウンタの上面に設けた誘導手段よりもシステムキッチンの後縁側に配置したことを特徴とする請求項１〜３の何れか１項に記載のシステムキッチン。
【請求項５】
前記シンクの側壁に設けた誘導手段は、前記センサ部の中心位置よりも前記シンクの底面側に配置したことを特徴とする請求項３または４何れか１項記載のシステムキッチン。
【発明の詳細な説明】
【技術分野】
【０００１】
本発明は、システムキッチンにおいて、洗浄水の吐止水を行うために操作するセンサ部に対して、操作を容易に行うための誘導手段を設けたシステムキッチンに関する。
【背景技術】
【０００２】
従来、バルブに対して開閉信号を送信するセンサ部の検知範囲に被検知体を挿入することで、バルブの開閉動作を行い、水栓からの吐止水を行うシステムキッチンがあった。
【０００３】
また、蛇口の近傍に被洗浄体（例えば、手や食器等）を近づけることにより、光電センサにて検知して、バルブの開動作を行うキッチン装置が記載されている（例えば、特許文献１参照）。
【０００４】
また、被検知体が、食器や手を対象にした自動水栓装置で、２つ以上の発信素子を交互に駆動させて、検知領域を拡大し広範囲を検知する自動水栓装置が記載されている（例えば、特許文献２参照）。
【特許文献１】実開昭６１−７５５７０
【特許文献２】特開２００３−２１３７４８
【発明の開示】
【発明が解決しようとする課題】
【０００５】
しかしながら、特許文献１のように、シンク側壁に配置した光電センサに対して手を差し出す場合、シンク内空間に存在する検知範囲に対して、どの場所に差し出してよいか不明確なため、使用者が被検知体を差し出した位置によっては検知領域外になるため、吐水が行われないという不具合が生じる可能性があった。
【０００６】
また、特許文献２のように、複数の発信素子を用いて検知領域を拡大した場合においても、空間における差し出し場所を認識することは困難であるため、使用者が被検知体を差し出した位置によっては検知領域外になるため、吐水が行われないという不具合が生じる可能性があった。
【０００７】
そこで、本発明においては、システムキッチンにおいて、センサ部に対して被検知体を誘導する誘導手段を設け、センサ部の検知領域に対して被検知体を進入させることで確実に検知を行うことが可能となるシステムキッチンを提供することを目的としている。
【課題を解決するための手段】
【０００８】
前記目的を達成するために、吐水口を有する水栓と、前記吐水口から吐水される水を受水するシンクと、電波の送受信を行うセンサ部と、前記センサ部から得られた被検知体の検知情報に基づいて開閉し、前記吐水口へ水を供給するかしないかを切り替えるバルブと、前記センサ部に対して使用者の操作を促す誘導手段とを有するシステムキッチンであって、前記センサ部は前記シンク側壁の裏側に設けられ、前記誘導手段は前記誘導手段の中心位置が前記センサ部の中心位置よりもシステムキッチン後縁側に位置するように、前記シンクに隣接するカウンタの上面に配置されたことを特徴とするシステムキッチンを提供できる。
【０００９】
また、本発明の一態様によれば、吐水口を有する水栓と、前記吐水口から吐水される水を受水するシンクと、電波の送受信を行うセンサ部と、前記電波センサから得られた被検知体の検知情報に基づいて開閉し、前記吐水口へ水を供給するかしないかを切り替えるバルブと、前記センサ部に対して使用者の操作を促す誘導手段とを有するシステムキッチンであって、前記センサ部は前記シンク側壁の裏側に設けられ、前記誘導手段は前記誘導手段の中心位置が前記センサ部の中心位置よりもシステムキッチン後縁側に位置するように、前記センサ部の設けられたシンク側壁に配置されたことを特徴とするシステムキッチンを提供できる。
【００１０】
また、本発明の一態様によれば、前記電波センサは、前記カウンターと隣接する側のシンク側壁に配置されたことを特徴とするシステムキッチンを提供することができる。
【００１１】
また、本発明の一態様によれば、前記誘導手段は、前記シンク側壁と前記カウンタ上面の両方に設置され、前記シンク側壁に設けた誘導手段は、前記カウンタ上面に設けた誘導手段よりもシステムキッチン後縁側に配置したことを特徴とするシステムキッチンを提供することができる。
【００１２】
また、本発明の一態様によれば、前記シンク側壁に設けた誘導手段は、前記センサの中心位置よりもシンク底面側に配置したことを特徴とするシステムキッチンを提供することができる。
【発明の効果】
【００１３】
本発明によれば、シンク側壁にセンサ部を設けることで、まずキッチンにおける作業、特にカウンタ上面での作業に対してセンサ部が反応することが無いため、誤検知を防止することが可能となる。また、シンク側壁にセンサ部を設けた場合には、例えばカウンタでの作業中においてはセンサの位置を把握できず、どの場所に被検知体を挿入して良いかが不明確であるが、シンクに隣接されたカウンタ上面に誘導手段を配置することにより、シンク側壁のセンサ部を目視出来ない状況においても、シンク側壁のセンサ部に対して被検知体を挿入することが可能であるため、操作場所が明確になり、検知精度を向上させることが可能となる。
【発明を実施するための最良の形態】
【００１４】
以下、発明の実施の形態を、図面を参照して説明する。
図１に本発明のシステムキッチンの概略構成図を示す。本発明のシステムキッチンは、吐水口を有する水栓１と、前記吐水口から吐水される水を受水するシンク２と、電波の送受信を行うセンサ部６と、前記センサ部から得られた被検知体の検知情報に基づいて開閉し、前記吐水口へ水を供給するかしないかを切り替えるバルブ４と、前記センサ部６に対して使用者の操作を促す誘導手段と７を有するシステムキッチンであって、前記センサ部６は前記シンク側壁３の裏側に設けられ、前記誘導手段７は前記誘導手段７の中心位置が前記センサ部６の中心位置よりもシステムキッチン後縁側に位置するように、前記シンクに隣接するカウンタの上面８に配置された構成になっている。
【００１５】
まず、本実施例におけるシンク２の方向関係について示す。図１において、シンク２に対して使用者が使用する場所、例えば、本実施例においては水栓１と対峙する面を前縁側とし、前縁側と対峙する面を後縁側、シンク開放面方向を上方、シンク底面が存在する方向を下方、図面左側を左側方、図面右側を右側方とする。シンクは、前縁側、後縁側、左側方、右側方に存在する側壁と、底面とによって構成されるものである。なお、各方向に設けられたシンク側壁３と底面との境界は必ずしも明瞭である必要は無く、例えば、側面同士の接続面が曲面にて形成されていても良い。また、シンク底面とシンク側壁とが識別可能な角度、又は形状で形成されていても良い。更に、シンク底面は水平面で形成されるものに限定されず、傾きを持って形成されたものでも良い。またシンク側壁は全てが同じ深さ方向にて、同じ長さを有することなく、シンク底面及びシンク全体の形状に応じて変化しても良い。ここで、シンク２とは、図１のようにカウンタ上面８に対して凹部となり吐水口から吐水される水を受水するようになったものである。よって、図１においては、水栓１はカウンタ上面８に配置されており、カウンタ上面８よりも鉛直方向に凹形状を有する部分をシンク２とする。
【００１６】
また、センサ部６に関して、図２に詳細に示す。センサ部６は、外部に対して送信信号９を送信し、被検知体からの受信信号１０を受信し、その受信信号１０を基に検知信号１１を生成する検出部１２と、検出部１２からの検知信号１１を増幅や、フィルタ等による周波数分別などを行い判定信号１３を生成する信号処理部１４と、信号処理部１４から出力された判定信号１３によって、バルブ４に対して開閉信号５を送信する制御部１５とを有する。本実施例においては、検知信号１１から得られる情報を、ノイズ等の影響を低減して判定信号の精度を向上させるために信号処理部１４を設けているが、回路の簡易化、小型化を達成するために信号処理回路１４を除去することも可能である。その場合には、検知信号１１を判定信号１３として、制御部１５にて入力し、バルブ４の開閉制御を行うことになる。
【００１７】
次にセンサ部６の設置場所について述べる。センサ部６の設置場所は、シンク２と隣接するカウンタ上面８には設けず、シンク側壁３に設けている。これは、カウンタ上面８は、キッチンにおける調理作業や、調理器具、食材等を置くために、センサ部６によって調理作業中の動作や、調理器具の有無を判断してしまうために、誤検知が発生する恐れがある。また、誤検知しないようにするためには、使用者はセンサ部６周辺を使用できず、キッチンにおける調理作業に制約が発生してしまうため、使い勝手が悪くなってしまう。また、シンク２内部において、シンク底面にセンサ部６を設置する場合には、シンク２内部に調理器具や食材を置くことにより、センサ部６にて物体の有無を検知してしまうことや、シンク２内での洗い作業によって発生するシンク底面近傍の物体の移動や、洗浄水の動きを検出してしまい、誤検知をする恐れがある。また、従来からあるセンサ部６から空間に送信信号９を送信し、空間に出来る見えない検知領域を作成する方法においては、検知領域が不明確なため、調理作業中に検知領域内に進入したり、また使用する際に検知領域への進入が出来きずに、誤検知を起こす可能性が高くなった。そこで本発明においては、シンク側壁３にセンサ部６を設ける構成にしている。シンク側壁３は、側壁上で作業を行うことがほとんど無いため、キッチンにおける調理作業における場所の制約等の不具合が発生する可能性が極めて低い。またシンク側壁３に常時物体が接触したり設置したりすることが極めてないため、物体の有無等による誤検知を低減することが可能となる。
【００１８】
しかし、センサ部６をシンク側壁３に設置する場合には、シンク２内部に置かれた調理器具等の物体が接近したり、調理作業をする手の動線がセンサ部６の近傍を通過する可能性もある。そこで、センサ部６における物体の検知方法として、センサ部６近傍を検知範囲とすることが望ましい。これは、シンク側壁３近傍は、物体を置く場合において、シンク側壁３が少なくとも一方の空間を遮蔽するために、物体を置く／取る等の作業を行う際手が側壁にぶつかる当の不具合が発生する。また調理作業を行う場合においても、シンク側壁３近傍にて作業を行うためには、側壁によって手の動作量が低減されてしまうため、調理作業を行うのに不具合がが発生してしまう。以上より、シンク側壁３近傍は、頻繁に使用されていない空間になっている。本発明においては、このシンク側壁３に設置されたセンサ部６において、シンク側壁３近傍を検知範囲とすることで、通常使われない空間に被検知体が進入することを検知することが可能となるため、センサ部６の検知範囲への物体の進入を、被検知体がバルブ４の開閉動作をするために進入したと判断することが可能となるため、一般的に動作や物体が置かれる空間に検知範囲を設定するよりも外乱が少なくなり、誤検知を低減することが可能となる。
【００１９】
また、シンク側壁近傍を検知範囲とした場合のセンサ部６の検知方法について述べる。センサ部６の検知範囲をシンク側壁近傍にしたことで、調理動作や物体の設置等で発生する誤検知を低減することが出来るが、検知方法によって更に誤検知低減を行うことも可能である。例えば、検知範囲において、被検知体が減速する動きをした場合に検知を確定する方法がある。この方法であれば、センサ部６に対して被検知体を接近させているのであれば、側壁に対して被検知体を止めようとする動きになるため減速が発生し、また、単なる通過であれば側壁を避けて通過しようとするために減速は発生しないので、通過する物体に対して誤検知を防止することが可能となる。また、例えば、検知範囲において、被検知体が略静止した場合に検知を確定する方法がある。この方法であれば、センサ部６に対して操作を行うため、減速後に静止する動きを検知して検知確定にすることが可能となるため、シンク側壁近傍における物体の移動による誤検知を防止することが可能となる。なお、略静止とは、完全に停止した状態や、被検知体である人体や、被検知体を持つ手が止まった際に僅かに発生する揺らぎを状態のことを言うものである。また、例えば、検知範囲において、物体の静止又は減速を検知後に、物体が加速することを検知した場合に検知を確定にする方法がある。この方法であれば、検知範囲に物体を進入させた後に被検知体を水栓１から吐水される洗浄水へ移動する動きまでを検知することが可能となるため、検知範囲近傍に物体（調理器具等）を設置した場合における略静止状態を検出して誤吐水を行うことを防止することも可能となる。以上のような検知方法を、単独、又は複数を組み合わせることによって検知精度を向上させることが可能である。更に、検知範囲内における物体の距離上方を追加することにより、更に検知範囲内における物体の情報を入手することが可能となるため、調理動作や調理器具の設置等における誤検知を防止することが可能となる。
【００２０】
ここで、上記のような検知範囲内におけるセンシングが達成可能なセンサ部６を構成する検出部としては、例えば、外部に振動波を送信し、被検知体から反射した反射波を基に物体の動きを検出する超音波センサや、電波センサがある。超音波センサや電波センサにおいては、ドップラ効果により物体の動きを検出することが可能であるため、減速や略静止、加速という動きを検出することが出来ると共に、距離情報を入手することが可能であるため、上記のような検知方法に適していると言える。また、電波センサにおいては、樹脂等の物体を通過することが可能であるため、樹脂部材で出来たシンク２を用いた場合に、センサ部６を隠蔽することが可能となるため、シンク２の外観を損なうことなくセンシングを行うことも可能となる。
【００２１】
本実施例においては、上記の電波センサを用い、使用する周波数を１０．５GHｚ近傍にて設定を行い、更に非接触にて操作可能な検知範囲を設定している。なお、本発明において、使用する周波数の選定や、接触／非接触の操作を行うように検知範囲を設定に関わらず、本発明の有する効果と同様の効果を得るものである。
【００２２】
上記のように、シンク側壁３にセンサ部６を設置した場合に、キッチンを使用する場所によってはセンサ部６の場所が不明確であるため、操作する場所が分からない状態になってしまう。そこで、本発明においては、シンク側壁３にセンサ部６を設置した場合に、センサ部６を設置したシンク側壁３に隣接するカウンタ上面８に、使用者の操作を促す誘導部を設けるものである。カウンタ上面８は、キッチンを使用する場合において、目視可能な場所となるため、キッチン作業を行う場所に依存せず、センサ部６の場所を認識することが可能となるため、センサ部６に対しての操作を迷うことなく行うことが可能となるため、使用者が操作に迷うということも無く、またセンサ部６における被検知体を確実に検知できるため、誤検知を低減することも可能となる。
【００２３】
図１においては、シンク左側方の側壁にセンサ部６を設置した場合について示す。左側方のシンク側壁３にセンサ部６が設置しているため、シンク２の図中における左側に隣接したカウンタ上面８に誘導手段７を設ける構成としている。このように設置することにより、シンク左側に隣接するカウンタで調理作業を行っている最中に、洗浄作業を行う場合においてもカウンタ上面８に誘導手段７を設けていることで、シンク側壁３に設置されたセンサ部６の位置が不明確な場合においても、およその場所を把握することが可能となるため、センサ部６に対して容易に操作を行うことが可能となる。また、カウンタ上面８には誘導手段７しかなく、センサ部６はシンク側壁３にあるため、カウンタ部全てを調理作業で使用した場合においても、調理作業における動作や調理器具等を設置した場合においても検知領域に物体が進入しないため誤検知を防止することが可能となる。
【００２４】
誘導手段７について示す。誘導手段７は、センサ部６の設置場所に対して使用者に操作を促すためのものであるため、使用者が認識容易なものが望ましい。例えば、図３（Ａ）のように、「矢印」を用いてセンサ部６の設置場所を誘導したり、図３（Ｂ）のように、文章にて使用者の操作を促すものである。また、カウンタ上面８に設置しているため、誘導手段７がキッチンの外観の一部になるために、誘導手段７をキッチンの外観を損なわないような大きさ、形状等を用いるのも望ましい。例えば、図３（Ｃ）のように円形の形状や、図３（Ｄ）のように多角形を用いて誘導手段７を構成することで、センサ部６がどの場所にあるかを示すようにするものである。キッチンにおいては、公共施設のように不特定多数の使用者ではなく、ある特定の使用者が使用することが多いため、図３（Ａ）や（Ｂ）のように外観を損なう恐れがあるものではなく、図３（Ｃ）や（Ｄ）のように外観を損なわないようにする形状にすることで、センサ部６の位置も把握出来、且つ外観を損なわないことになる。誘導手段７は表示であるため、例えばカウンタをＬＥＤ等の照明装置を用いて発光させる方法や、カウンタに塗装で表示する方法や、シールのように跡付け可能なものがある。発光させる方法については、発光する照明機器の設置を行うためにカウンタに加工を必要とするか、別途天井から発光させるための装置の設置が必要であるが、キッチンを照明にて演出する効果もあると共に、キッチンの照明をＯＮしていない暗い場所においても誘導手段７が認識が可能とすることが出来る。また塗装による表示方法においては、キッチン製造時に一括して誘導手段７を作成可能であるため、容易に誘導手段７をキッチンに搭載することも可能となる。またシールにおいては、水栓１の取替え時に後からセンサ部６を設置、又はセンサ部６を撤去する際に誘導手段７を設置／除去が容易なため、センサ部６付のキッチンへの変更、又はセンサ部６付のキッチンからの変更の際に外観を損なうことなく改修を行うことが可能となる。
【００２５】
次に誘導手段７の設置方法について記載する。カウンタ上面８に配置される誘導手段７は、シンク側壁３が見えない場所から作業する場合に使われるものである。例えば、図４に示すシンク左側方のカウンタ前面に人がいる場合が、それに該当する。このような場所からの使用の場合、カウンタ上面８は目視可能なため、誘導手段７によって被検知体の検知領域への進入を行うことが可能となる。このように、センサ部６が設置されたシンク側壁３を目視不可能な場所からの操作の場合においては、図５のようにカウンタ上面８に対して斜めに挿入される。これは、カウンタ上面８よりも上方にある肩を支点に手が可動するために、人体の構造上斜め上方からの挿入になる。このとき、システムキッチン後縁側に指が、シンク前縁側に掌がくるような挿入となり、指先が掌よりもシンク下方側に挿入された形になる。ここで、センサ部６からの送信信号９を効率良く反射させ、反射した送信信号９を大きな受信信号としてセンサ部６が受信するためには、平坦な形状で、且つ隙間の無いものが望ましい。被検知体において、調理器具等は金属製のものや平坦な形状が多いので、効率良く送信信号９を反射可能なため、受信信号を大きく得ることが可能であるが、手に関しては、場所によって反射信号が異なることが確認出来ており、最も効率良く送信信号９を反射可能な場所が掌であることが確認出来た（図６参照）。そこで、本発明においては、検知精度向上のために、センサ部６からの送信信号９を効率良く反射可能なように、被検知体、特に人体の手に対して掌に送信信号９を送信可能なようにするものである。
【００２６】
まず、使用者が誘導手段に対してどのように操作を行うかを確認すると、使用者は指近傍にて操作を行うことが確認出来た（図７参照）。これは、一般的にスイッチ等の操作を行う際に、指での操作が多く、また細かい操作等が容易なために行われるものであり、本発明のように誘導手段７を設け、センサ部６に対して操作を促した場合においても同様の傾向が確認出来た。また、図７（Ａ）、（Ｂ）に示したように、誘導手段７の場所をシンク２の前後方向に変動させて誘導手段７に対する手の操作についても確認したが、場所の変動に影響せず、使用者は指近傍にて操作を行うことが確認出来た。以上より、誘導手段７に対しては、指近傍での操作、またセンサ部６の前面には掌を配置させるようにするために、図８のように、センサ部６の中心よりもシステムキッチン後縁側に誘導手段７を配置することにより、センサ部６の直前に対して掌を誘導することが可能となるため、大きな受信信号を得ることが出来、検知精度の向上を図ることが可能となる。
【００２７】
更に、センサ部６の設置位置に関してだが、図９のようにシンク側壁３の上方に設置するのが望ましい。上記に示したように、人体の手の挿入に関しては、斜め方向に手が挿入されるため、掌はカウンタ上面８に近い位置に誘導される。そこで、センサ部６をシンク側壁３のカウンタ上面８近傍に配置することで、掌により近づけることが可能となるため、大きな受信信号を得ることが可能となり、検知精度を向上させることが可能となる。
【００２８】
ここで、図１０及び図１１にキッチンの概略構成図を示す。一般的に、キッチンの調理作業においては、水まわり及び加熱調理を行うため、切る、混ぜる等の作業をシンク２と加熱調理器１８との間に存在する作業スペース１７で行うことが多い。作業スペース１７で調理作業を行うことにより、シンク２及び加熱調理器１８への移動が容易に行うことが可能となり、キッチンにおける調理作業を効率よく進めることが可能となる。そこで、本発明においては、特に調理スペースに隣接するシンク側壁３にセンサ部６を設け、調理スペースにあるカウンタ上面８に誘導手段７を設けることが望ましい。調理スペースに隣接したシンク側壁３にセンサ部６を設けているため、調理スペースにいる使用者からはセンサ部６を設置したシンク側壁３を目視することは出来ない。しかしながら、調理スペースのカウンタ上面８に誘導手段７を配置することにより、調理スペースからセンサ部６の場所を確認することが可能なため、容易に操作可能となる。また、このように調理スペースに隣接した側壁にセンサ部６を設けることにより、作業スペース１７から水栓１までの手の動線上にセンサ部６及び誘導手段７を設置することになるため、通常設置されているシングルレバーのような吐止水を制御するバルブ４を操作するために手を伸ばして操作することなく、洗浄水に向かう途中で吐止水の操作を行うことが可能であるため、使用者の身体の重心移動を行うことなく、また手を伸ばすといった操作のみのために身体へ負荷をかけることなく操作可能であるため、キッチンの調理作業をより効率よく行うことが可能となる。
【００２９】
このように、センサ部６の設置位置からシステムキッチン後縁側に、且つカウンタ上面８に誘導手段７を配置することにより、センサ部６を配置したシンク側壁３が目視出来ない場合においても、センサ部６に対して確実に被検知体の挿入を促すことが可能となるため、使用者のセンサ部６を操作する場所の迷いを無くすと共に、検知精度を向上させ、吐水を供給可能となる。
【００３０】
次に、センサ部６が設置されたシンク側壁３を目視可能な場所からの操作に関して述べる。ここでは、センサ部６が設置されたシンク側壁３は目視可能であるが、センサ部６自身は目視不可能なように配置されているセンサ部６隠蔽方式の場合について記載する。図１２に示したように、水栓１と対峙する場所であるシンク２の前縁側に使用者がいる場合には、カウンタ上面８にある誘導手段７よりもセンサ部６を設置したシンク側壁３に誘導手段７を設けたほうが、使用者からの目視は容易である。そこで、センサ部６を設置したシンク側壁３に対して誘導手段７を設けた構成について記載する。
【００３１】
センサ部６を設けたシンク側壁３に対して誘導手段７を設置した場合に、上記に示したカウンタ上面８に誘導手段７を設置した場合と同様に、センサ部６からの送信信号９を効率良く反射して、大きな受信信号を得るように被検知体を誘導できる場所に設置するのが望ましい。そこで、調理器具等のように金属製なものや、平坦なものに関しては十分に受信信号を大きく取ることが可能であるため、本実施例においては、上記と同様に最も受信信号が得にくい手に関して検討を行った結果を記載する。誘導手段７をカウンタ上面８に設置した場合と同様に、手に関しては平面で且つ送信信号９が抜けないように隙間が少ない掌を検知するのが望ましい。そこで、掌がセンサ部６直前に来るように、誘導手段７をセンサ部６に対して配置する方法を検討する。ここで、図７と同様に、誘導手段７をシンク側壁３に設置した場合に、どの部位で誘導手段７を操作しているかの確認を行った（図１３参照）。その結果、カウンタ上面８に誘導手段７を設けた場合と同様に、誘導手段７に対しては指近傍で操作していることが確認出来た。そこで、センサ部６を設置したシンク側壁３に対して誘導手段７を設けた場合においては、図１４のようにセンサ部６の搭載位置よりもシステムキッチン後縁側に誘導手段７を配置することにより、誘導手段７に対して使用者が操作を行った場合には、センサ部６の直前に掌が配置されることにより、送信信号９の反射が効率良く行われるため、大きな受信信号を得ることが可能となり、誤検知を低減することが可能となる。
【００３２】
また、更に検知精度を向上させる手段としては、図１５のように誘導手段７をセンサ部６よりもシンク下方側に配置することが望ましい。これは、シンク側壁３が目視可能な状況においても、シンク上方にある肩を基準に腕を動かすため、シンク側壁３にかざされた手は、指先がシンク下方、掌がシンク上方になるように傾いて差し出される。そこで、誘導手段７をセンサ部６よりもシンク下方に設置することで、センサ部６の直前に掌を設置することが容易になるため、より確実に受信信号を検出でき、検知精度を向上させることが可能となる。
【００３３】
次に、誘導手段７が、シンク側壁３及びカウンタ上面８に配置された場合について図１６に記載する。なお、この２つの誘導手段７を設けることにより、シンク側壁３が目視可能／不可能な場合においても、センサ部６に対して手を誘導することが可能であり、検知精度が向上することは言うまでも無い。ここで、センサ部６が設置されたシンク側壁３に誘導手段７が設置された場合においては、カウンタ上面８に誘導手段が設置された場合に比べて指先近傍で操作する量が多い。これは、誘導手段７と手の挿入場所が近く、誘導手段７が目視可能であるため、誘導手段７に対して直接操作を行うようにすることで、従来スイッチ等を操作する間隔で指先で操作することにより発生した事項であると思われる。そこで、本発明においては、カウンタ上面８に配置する誘導手段７と、センサ部６が設置されたシンク側壁３に設置される誘導手段７との設置場所が異なり、シンク側壁３に設置された誘導手段７が、カウンタ上面８に設置された誘導手段７よりもシステムキッチン後縁側に配置する構成としている。これにより、センサ部６が設置されたシンク側壁が目視可能／不可能な位置から使用者が相殺した場合においても、センサ部６直前に掌を誘導することが可能となるため、より検知精度を高めることが可能となる。
【００３４】
ここで、本発明のセンサ部６に対しては、シンク側壁３の裏側に配置して、シンク側壁３越しに検知するようなセンサ、例えば電波センサのようなものが望ましい。これは、シンク側壁３の裏側に配置しているため、シンク２の表面（シンク内部）からはセンサ部６の存在が分からないので、シンク２の外観を保持することが可能となる。また電波センサを用いた場合におけるセンサ部６に対しての操作は、非接触式の操作になるように検知領域、及び検知判定基準を設定することが望ましい。キッチン作業においては、洗剤や食材にて手が汚れた状態があり、この状況で接触式の操作を行うと、接触した部分に汚れが付着し、その汚れを清掃する作業が発生したり、また折衝した汚れによって誤検知が発生する可能性が高くなる。そこで、非接触式の操作にすることで、清掃性を高め、かつ誤検知の少ないキッチンを提供することが可能となるものである。
【００３５】
以上、本実施の形態により、シンク側壁３にセンサ部６を設置して、このセンサ部６に対して使用者の操作を促すための誘導手段７を、カウンタ上面８や、センサ部６が設置されたシンク側壁３に設けることで、隠蔽したセンサのようにセンサの設置場所や検知領域が不明確な場合においても、センサ部６に対して掌が来るように誘導することで、使用者が迷うことなく操作を行うことが出来、且つ掌を検知することで受信信号を大きく取ることが可能となるため、検知精度を向上させ、誤検知を低減することが可能となる。
【図面の簡単な説明】
【００３６】
【図１】本発明のシステムキッチンの概略構成図
【図２】センサ部概略構成図
【図３】誘導手段の概略構成図
【図４】シンク左側方の側壁にセンサ部を配置した概略構成図
【図５】誘導手段に対してシンク側壁のセンサ部へ手を挿入した概略構成図
【図６】手の部位毎の検知信号の大きさ比較図
【図７】センサ部が設置されたシンク側壁が目視不可能な場合の誘導手段に対する比較図
【図８】センサ部に対するカウンタ上面の誘導手段の設置位置図
【図９】センサ部の設置位置図
【図１０】作業スペース付システムキッチンの上面図
【図１１】作業スペース付システムキッチンの概略構成図
【図１２】センサ部が設置されたシンク側壁を目視可能な場所に使用者がいる概略構成図
【図１３】センサ部が設置されたシンク側壁が目視可能な場合の誘導手段に対する比較図
【図１４】シンク側壁に設置された誘導手段の設置位置図（前後方向図）
【図１５】シンク側壁に設置された誘導手段の設置位置図（高さ方向図）
【図１６】カウンタ上面とシンク側壁に誘導手段を設けた場合のセンサとの位置関係図
【符号の説明】
【００３７】
１…水栓、２…シンク、３…シンク側壁、４…バルブ、５…開閉信号、６…センサ部、７…誘導手段、８…カウンタ上面、９…送信信号、１０…受信信号、１１…検知信号、１２…検出部、１３…判定信号、１４…信号処理部、１５…制御部、１６…配管、１７…作業スペース、１８…加熱調理器
【図１】
0005234494.tif 000002
【図２】
0005234494.tif 000003
【図３】
0005234494.tif 000004
【図４】
0005234494.tif 000005
【図５】
0005234494.tif 000006
【図６】
0005234494.tif 000007
【図７】
0005234494.tif 000008
【図８】
0005234494.tif 000009
【図９】
0005234494.tif 000010
【図１０】
0005234494.tif 000011
【図１１】
0005234494.tif 000012
【図１２】
0005234494.tif 000013
【図１３】
0005234494.tif 000014
【図１４】
0005234494.tif 000015
【図１５】
0005234494.tif 000016
【図１６】
0005234494.tif 000017